(57)【要約】【課題】機能を損なうことなく構造を単純化して、高機能の背負い鞄用背鐶を安全軽量堅牢にする。【解決手段】取付基板２とアーム３を、柔らかいが丈夫な特殊エンジニアリングプラスチック（熱可塑性エラストマー）で一体成型する。取付基板２とアーム３の間には蛇腹状のバネ部５があり、アーム３の捩れに対応する撓み性を持たせてある。ランドセルの背板の上部に、取付基板２を取り付ける。アーム３に、ランドセルの背負帯の上端を連結する。バネ部５は、小さい力でも捻れたり撓んだりと容易に変形するので、子供の成長や動きに合わせてアーム３が変形してフレキシブルに対応できる。丈夫で柔軟な一体成型であるので、アームの動きやアーム先端でのベルト立上げなどの機能は十分であり、子供の扱いが乱暴でも６年間の使用に耐える。【選択図】図１
2014000180.tif 000002
【特許請求の範囲】
【請求項１】
取付基板とアームを特殊エンジニアリングプラスチックで一体成型した背負い鞄用背鐶であって、前記取付基板は、背負い鞄の背板の上部に取り付けるための取付孔を有し、前記アームは、背負帯を通すための帯孔を有し、前記取付基板と前記アームの間に、前記アームの捩れと撓みと伸縮に対応する弾力性を有するバネ部を設けたことを特徴とする背負い鞄用背鐶。
【請求項２】
取付基板とアームと吊下鐶を特殊エンジニアリングプラスチックで一体成型した背負い鞄用背鐶であって、前記取付基板は、背負い鞄の背板の上部に取り付けるための取付孔を有し、前記アームは、背負帯を通すための帯孔を有し、前記吊下鐶は、可撓性のある環状部材であり、前記取付基板と前記アームの間に、前記アームの捩れと撓みと伸縮に対応する弾力性を有するバネ部を設けたことを特徴とする背負い鞄用背鐶。
【発明の詳細な説明】
【技術分野】
【０００１】
本発明は、背負い鞄の一対の背負帯の上端を背板の上部に連結するために使用される背負い鞄用背鐶に関し、特に、特殊エンジニアリングプラスチックで一体成形した背負い鞄用背鐶に関する。
【背景技術】
【０００２】
従来、ランドセルなどの背負い鞄には、背負帯を取り付けるための背鐶が用いられている。背鐶は、背負帯が使用者の背中に馴染むように、連結角度などにかなりの自由度がある。例えばランドセル用背鐶では、図６に示すようなものが使用されている。アームが捻じれたりスライドしたりして、子供の成長や動きに合わせてフレキシブルに対応できるようになっている。また、中央部には吊下環があり、伸び縮みして机のフックに下げることができるようになっている。
【０００３】
一般的な背鐶は、基板、カバー板、揺動アーム、バネおよび吊下環とからなる。基板は、左右対称に形成した係止部に連続して設けた内側ガイド面部を有する仕切壁を中央上端に形成し、この仕切壁の左右両側にそれぞれ設けた開口部と、この開口部の他側に連続して周縁に設けた壁部の両端部にそれぞれ外側ガイド面部を形成した。カバー板は、基板の表面を覆う薄手のものである。揺動アームは、内側ガイド面部および外側ガイド面部にそれぞれ略接するガイド袖部を胴部の左右両側に設け、この胴部の上端に背負いベルトの一端を取り付ける連結部を有する。この胴部の下方を基板の支持筒に揺動可能に軸支した、左右に対称に形成した一対のものである。バネは、揺動アームを互いに中央方向に付勢させるものである。吊下環は、基板の中央に設けた仕切り壁の表面中央に取り付けた保持板の先端に枢動可能に軸支したものである。そして、係止部は、揺動アームの胴部の内側端をそれぞれ係止させると共に開口部の一側端部を構成している。
【０００４】
基板の中央方向にバネで付勢させた揺動アームのストッパー機能を有する。ランドセルを構成する背板は、表側の中央と周縁にクッション部を形成し、上方に平坦な背鐶取付地を設けて形成してある。一方、背鐶は、左右対称位置で下方をばねで互いに中央方向に付勢させて左右方向に枢動可能な揺動アームを軸支し、揺動アームの上端を背鐶の上端から突出させた連結部に、対をなす背負いベルトの一端をそれぞれ連結する連結部を一体または別体に取り付けて設けてある。この背鐶を背板に固定する場合、ランドセルの全重量が背鐶に加わるため、背鐶が背板から離脱するのを防止するため、複数の異なる金属製ビスやリベットを使用して、同じく背板の背面側に取り付けた金属製の固定板に固定したり、リベットの先端をカシメ止めしたりして取り付けたものが知られている。以下に、これに関連する従来技術の例をあげる。
【０００５】
特許文献１に開示された「ランドセルの背鐶」は、小型で強靱で安全性の高いランドセルの背鐶である。図７に示すように、箱状本体内に略扇面形状の揺動板を収納する。揺動板は扇面形状の本体部の上部に、くびれ部を介して背負帯連結環を挿通する横方向筒体部を連設する。箱状本体の立壁欠部の中央部位には、ランドセル吊下環の一辺を枢止する吊下環保持アーム部を凸設する。吊下環保持アーム部の下面部位と、立壁部の上部の下面部位とは、揺動板の上面と対峙する案内面となし、揺動板の周面の一部はいずれの回動位置にあっても一方の案内面の下方に位置するようになす。箱状本体内には、揺動板の外側側面と、立壁部の内面との間に位置する略Ｖ字状のバネ板を収納する。
【０００６】
特許文献２に開示された「背負い鞄用背鐶」は、学童の髪の毛や洋服の襟などが、基板の上部に設けた開口部に挟まることがない背負い鞄用背鐶である。図８に示すように、左右対称の係止部に連続した閉鎖部を有する仕切体を中央上部に形成する。仕切体の左右両側の開口部と、開口部の他側の周縁に設けた壁部の両端部に外側ガイド面部を、基板に形成する。薄板のカバー体で、基板の表面を覆う。係止部に、胴部の内側端が係止される。閉鎖部の上方を覆い隠すガイド袖部を胴部の内側端に設ける。外側ガイド面部に略当接するガイド袖部を胴部の外側端に設ける。胴部の上端に、連結部で背負いベルトの一端を取り付ける。揺動アームで、胴部の下方を基板の支持体に揺動可能に軸支する。バネで、揺動アームを互いに中央方向に付勢させる。吊下環を、仕切体の中央部にで、揺動アームのガイド袖部の上方を覆い隠す支持体に取り付ける。
【０００７】
特許文献３に開示された「ランドセル用背鐶」は、部品数を少なくしてランドセルを軽量化したものであり、簡単に背板に取り付けられるものである。図９に示すように、背板１の中央上部に設けた取付孔に、端部にピン孔と係止頭部が有る軸部を備える独立保持軸片と、下端を連結して独立保持軸片と同形に形成した複数の軸部を備える連立保持軸片とを挿入する。左右対称位置に下方をばねで互いに中央方向に付勢させて、左右方向に枢動可能に揺動アームを軸支する。背板に設けた取付孔と合致する位置にそれぞれ設けた軸孔内に、喰込環部を形成する。上端中央に吊下環を取り付けて形成した背鐶本体の軸孔に、独立保持軸片と連立保持軸片の頭部を固定する。背鐶本体の上面に取り付けるカバー体の裏面に取り付けた背鐶本体の軸孔と合致する位置に取り付けた圧入ピンを、独立保持軸片と連立保持軸片のピン孔に圧入固着してある。
【先行技術文献】
【特許文献】
【０００８】
【特許文献１】特開2002-291511号公報
【特許文献２】特開2009-028401号公報
【特許文献３】特開2011-110082号公報
【発明の概要】
【発明が解決しようとする課題】
【０００９】
しかし、従来のランドセル用背鐶では、次のような問題がある。子供達が砂場で遊んだ時に、背鐶に砂などの異物が入ることで、異音が発生する。女子児童の髪の毛が引っ掛かることがある。背負う子供の体型の変化に応じるため、左右に開くバネを入れる必要がある。乱暴な扱いによるバネの損傷がある。子供の扱いが乱暴だと、６年間の使用に耐えない。金属製であるため、重い。アームの構造が複雑である。生産工程において、各パーツへの色合わせ大変である。各部品の色が微妙に合わないことがある。樹脂の材質が変わることで、色が合わないことがある。
【００１０】
本発明の目的は、上記従来の問題を解決して、安全軽量堅牢で高機能のランドセル用背鐶を実現することである。すなわち、以下のことを目的とする。子供達が砂場で遊んだ時に背鐶に砂などの異物が入らず、異音が発生しないようにする。女子児童の髪の毛が引っ掛からないようにする。金属バネなどを無くして、子供の扱いが乱暴でも６年間の使用に耐える耐久性をもたせる。身体にフィットしやすくして、低学年から高学年まで使用できるようにする。パーツを一つにして、色合わせの必要性を無くす。アームの動きやアーム先端でのベルト立上げなどの機能を損なうことなく、構造を単純化する。
【課題を解決するための手段】
【００１１】
上記の課題を解決するために、本発明では、背負い鞄用背鐶を、取付基板とアームを特殊エンジニアリングプラスチックで一体成型し、取付基板に、背負い鞄の背板の上部に取り付けるための取付孔を設け、アームに、背負帯を通すための帯孔を設け、取付基板とアームの間に、アームの捩れと撓みと伸縮に対応する弾力性を有するバネ部を設けた。また、背負い鞄用背鐶を、取付基板とアームと吊下鐶を特殊エンジニアリングプラスチックで一体成型し、取付基板に、背負い鞄の背板の上部に取り付けるための取付孔を設け、アームに、背負帯を通すための帯孔を設け、吊下鐶を可撓性のある環状部材とし、取付基板とアームの間に、アームの捩れと撓みと伸縮に対応する弾力性を有するバネ部を設けた。
【発明の効果】
【００１２】
上記のように構成したことにより、機能を損なうことなく構造を単純化して、安全軽量堅牢で高機能のランドセル用背鐶を実現できる。すなわち、基本的な機能は維持したまま、異物混入による異音が発生せず、髪の毛が引っ掛からず、６年間の使用に耐え、製造工程が単純になるという効果が得られる。
【図面の簡単な説明】
【００１３】
【図１】本発明の実施例１における背負い鞄用背鐶の正面図である。
【図２】本発明の実施例１における背負い鞄用背鐶の側面図と断面図である。
【図３】本発明の実施例１における背負い鞄用背鐶の可撓性の説明図である。
【図４】本発明の実施例２における背負い鞄用背鐶の正面図である。
【図５】本発明の実施例２における背負い鞄用背鐶の側面図と断面図である。
【図６】従来のランドセル用背鐶の概念図である。
【図７】従来のランドセル用背鐶の概念図である。
【図８】従来のランドセル用背鐶の概念図である。
【図９】従来のランドセル用背鐶の概念図である。
【発明を実施するための形態】
【００１４】
以下、本発明を実施するための最良の形態について、図１〜図５を参照しながら詳細に説明する。
【実施例１】
【００１５】
本発明の実施例１は、取付基板とアームを特殊エンジニアリングプラスチックで一体成型し、取付基板とアームの間に、アームの捩れに対応する撓み性を持たせた背負い鞄用背鐶である。
【００１６】
図１に、背負い鞄用背鐶の正面図と側面図と断面図を示す。図１は、背鐶の正面図である。図２（ａ）は、背鐶の側面図である。図２（ｂ）は、図１の背鐶のA-A断面図である。アームの一部断面も示してある。図３は、背鐶の撓みの説明図である。図１〜図３において、背鐶１は、背負帯の上端をランドセルの背板の上部に連結するために、特殊エンジニアリングプラスチック（熱可塑性エラストマー）で一体成型した背負い鞄用背鐶である。取付基板２は、背負い鞄の背板の上部に取り付けるための部分である。アーム３は、背負い鞄の背負帯の上端を連結する部分である。バネ部５は、アームを伸ばしたり曲げたりできるようにする弾性部である。取付孔６は、取付基板を背負い鞄に固定するための鋲孔である。帯孔７は、背負帯をアームに通すための孔である。
【００１７】
上記のように構成された本発明の実施例１における背負い鞄用背鐶の機能と動作を説明する。最初に、図１を参照しながら、背負い鞄用背鐶の概要を説明する。この背負い鞄用背鐶１は、学童用ランドセルやリュックサックなどの背負い鞄に用いることができるものである。ここでは、背負い鞄の代表としてランドセルを例に用いて説明する。取付基板２とアーム３を特殊エンジニアリングプラスチックで一体成形する。アーム３に、背負帯を通すための帯孔を設ける。取付基板２とアーム３の間のバネ部５は、アーム３の捩れと撓みと伸縮に対応する弾力性を有する。取付基板２の３つの取付孔６により、背負い鞄の背板の上部に取り付ける。
【００１８】
次に、図１と図２を参照しながら、背負い鞄用背鐶の機能を説明する。アーム３は、使用者の背側に少し傾けてある。アーム３の帯孔７に、背負帯の上端を通して連結する。アーム３は、撓み性があるので、背負帯の向きに対応して無理なく背負帯を支持できる。アーム３の動きやアーム先端でのベルト立上げなどの基本的な機能を損なうことなく、構造を単純化できた。金属のバネを無くしたので、子供の扱いが乱暴でも６年間の使用に耐える耐久性がある。パーツが１つであるので、製造工程における色合わせが容易である。
【００１９】
取付基板２とアーム３の間には、蛇腹状のバネ部５がある。バネ部５は、小さい力でも容易に変形して捻れたり撓んだりする。アーム３の向きが自由に変えられるものであれば、バネ部５は蛇腹状でなくてもよい。例えば、バネ部５に相当する部分にスリットを形成して、撓み性を持たせるようにしてもよい。背鐶１の形状は、図示した形状に限らず、多少変形したものでもよい。適用する背負い鞄の種類に応じて、アーム３の向きやバネ部５の弾力性を適宜調節するとよい。この背鐶１は、学童用ランドセルに限らず、鞄やリュックサックなどの他の背負い鞄にも適用できる。
【００２０】
次に、図３を参照しながら、背負い鞄用背鐶の動きを説明する。図３（ａ）に示すように、アーム３は、使用者の背の方向に撓むことができる。図３（ｂ）に示すように、アーム３は、面内で回転するように撓むことができる。図３（ｃ）に示すように、アーム３は、伸縮することができる。図３（ｄ）に示すように、アーム３は、捻じれることができる。これらの動きの組み合わせにより、背負帯のほぼすべての動きに無理なく追随することができる。
【００２１】
次に、背負い鞄用背鐶の使用状態を説明する。背鐶１を、背負い鞄の背板の上部に取り付けて、背負帯の上端を連結する。アーム３の上部のＵ字状部分は、背負帯を背負ったときの形状に近い形に維持するためのものである。取付基板２とアーム３の間には、アーム３の捩れに対応する撓み性がある。子供の成長や動きに合わせてアーム３が捻じれて、フレキシブルに対応できる。一体成型であるので、子供達が砂場で遊んだ時に背鐶に砂などの異物が入らず、異音が発生しないし、女子児童の髪の毛が引っ掛からない。丈夫かつ柔軟であるので、身体にフィットしやすく、低学年から高学年まで使用できる。
【００２２】
上記のように、本発明の実施例１では、背負い鞄用背鐶を、取付基板とアームを特殊エンジニアリングプラスチックで一体成形し、取付基板とアームの間には、アームの捩れに対応する撓み性を持たせた構成としたので、安全軽量堅牢で高機能の背負い鞄用背鐶を実現できる。
【実施例２】
【００２３】
本発明の実施例２は、取付基板とアームと吊下鐶を特殊エンジニアリングプラスチックで一体成型し、取付基板とアームの間に、アームの捩れに対応する撓み性を持たせ、吊下鐶には伸縮性を持たせた背負い鞄用背鐶である。
【００２４】
図４に、背負い鞄用背鐶の正面図を示す。図５（ａ）は、背鐶の側面図である。図５（ｂ）は、背鐶の断面図である。アームの一部断面も示してある。図４と図５において、吊下鐶４は、背負い鞄を机の脇の金具などに吊り下げるための部分である。その他は実施例１と同じである。
【００２５】
上記のように構成された本発明の実施例２における背負い鞄用背鐶の機能と動作を、図４と図５を参照しながら説明する。この背負い鞄用背鐶は、吊下鐶４を設けた点が実施例１と異なる。その他の構成は実施例１と格別の相違は無い。取付基板２とアーム３と吊下鐶４を特殊エンジニアリングプラスチックで一体成形する。吊下鐶４は、環状部が変形することで伸縮性がある。また、環状部と取付基板２をつなぐ帯状部が細くなっているので、多少の伸縮性がある。したがって、机のフックに背負い鞄を掛ける際に、吊下鐶４が多少変形するので、背負い鞄を無理なく吊り下げられる。
【００２６】
上記のように、本発明の実施例２では、背負い鞄用背鐶を、取付基板とアームと吊下鐶を特殊エンジニアリングプラスチックで一体成形し、取付基板とアームの間には、アームの捩れに対応する撓み性を持たせ、吊下鐶には、伸縮性を持たせた構成としたので、安全軽量堅牢で高機能の背負い鞄用背鐶を実現できる。
【産業上の利用可能性】
【００２７】
本発明の背負い鞄用背鐶は、児童用のランドセルの背鐶として最適である。リュックサックなどの背負い鞄にも適用できる。
【符号の説明】
【００２８】
１  背鐶
２  取付基板
３  アーム
４  吊下鐶
５  バネ部
６  取付孔
７  帯孔
【図１】
2014000180.tif 000003
【図２】
2014000180.tif 000004
【図３】
2014000180.tif 000005
【図４】
2014000180.tif 000006
【図５】
2014000180.tif 000007
【図６】
2014000180.tif 000008
【図７】
2014000180.tif 000009
【図８】
2014000180.tif 000010
【図９】
2014000180.tif 000011